(57)【特許請求の範囲】
【請求項１】
カミソリハンドルに取り付けられる両刃型のカミソリヘッドであって、少なくとも２つのカミソリ刃が互いに所定の角度でハウジング内に配置され、互いに離れる方向を向いた両刃の平行な刃縁を備え、前記両刃の刃縁が、隣接するハウジング部分と共に、皮膚に対する１つの接触平面を画成し、該接触平面に対し各カミソリ刃の平面が最適な切断角度に配置され、間隔を置いた複数のワイヤが刃縁を横断して前記接触平面上に延在しているカミソリヘッド。
【請求項２】
前記カミソリ刃が露出された刃縁を有するように前記ハウジング内に配置されている請求項１に記載のカミソリヘッド。
【請求項３】
前記カミソリ刃の平面は、前記接触平面に対して所定の角度に配置されている請求項２に記載のカミソリヘッド。
【請求項４】
前記最適な切断角度は１８０°以下である請求項１に記載のカミソリヘッド。
【請求項５】
それぞれ互いに離れる方向を向いている刃縁を備えた上下２組の前記カミソリ刃が、前記ハウジング内に配置されている請求項３に記載のカミソリヘッド。
【請求項６】
前記刃縁に隣接して前記ハウジングにガードバーが配置されている請求項５に記載のカミソリヘッド。
【請求項７】
前記ガードバーは、１つまたはそれ以上のローラから成る請求項６に記載のカミソリヘッド。
【請求項８】
前記ワイヤは、カミソリ刃全体の刃縁にわたって配置されている請求項１に記載のカミソリヘッド。
【請求項９】
前記ワイヤは、０．０５ｍｍ乃至５．０ｍｍの範囲での所定の距離で互いに離れている請求項８に記載のカミソリヘッド。
【請求項１０】
前記ワイヤは、０．０５ｍｍ乃至１．０ｍｍの範囲の太さを有する請求項９に記載のカミソリヘッド。
【請求項１１】
前記ワイヤは、２．０ｍｍ乃至３．０ｍｍの範囲での所定の距離で互いに離れている請求項１０に記載のカミソリヘッド。
【請求項１２】
前記ワイヤは、０．１５ｍｍの太さを有する請求項１１に記載のカミソリヘッド。
【請求項１３】
前記カミソリヘッドは、支持体と、少なくとも２つのカミソリ刃と、ワイヤとから形成されるカミソリ刃組立体を有する請求項１２に記載のカミソリヘッド。
【請求項１４】
前記支持体は、互いに所定の角度で配置された複数の支持平面を有する請求項１３に記載のカミソリヘッド。
【請求項１５】
上下２枚のカミソリ刃の間に少なくとも１つのスペーサが配置されている請求項１４に記載のカミソリヘッド。
【請求項１６】
前記スペーサは互いに所定の角度で傾斜した２つの支持領域を有する請求項１５に記載のカミソリヘッド。
【請求項１７】
中央支持体がカミソリ刃の上に配置されている請求項４に記載のカミソリヘッド。
【請求項１８】
前記カミソリ刃は、前記ハウジングに対して可動に配置されている請求項４に記載のカミソリヘッド。
【請求項１９】
前記カミソリ刃組立体は、前記ハウジングに対して可動に配置されている請求項１６に記載のカミソリヘッド。
【請求項２０】
前記カミソリヘッドは、前記ハンドルに対して旋回可能に配置されている請求項１９に記載のカミソリヘッド。
【請求項２１】
前記カミソリ刃組立体は、ハウジングにばね偏倚することによって取付可能である請求項１９に記載のカミソリヘッド。
【請求項２２】
前記カミソリヘッドは、ひげそりくずを洗い流すことができる開口部を有する請求項４に記載のカミソリヘッド。
【請求項２３】
前記カミソリヘッドは少なくとも１つのシェービング補助剤を有する請求項３に記載のカミソリヘッド。
【発明の詳細な説明】
発明の背景
本発明は、カミソリ刃ユニットに関し、特にカミソリハンドルの前端に取り付けられるカミソリ刃ユニットに関する。
この技術分野で多数の湿式カミソリヘッドが知られている。通常、カミソリヘッドまたはカミソリ刃ユニットは、上にカミソリ刃組立体が配置されたプラスティック製のハウジングから形成されると共にカミソリハンドルの前端に取り付けられるようになっている本体を有する。ハンドルとカミソリヘッドの間が永久的に剛性に固定されている場合、例えば、全体が使い捨てのカミソリヘッドにおいて、ヘッドはカミソリ刃組立体から成る。しかしながら、もし、カミソリ刃ユニットのようなカミソリヘッドが、使い捨てカートリッジ及び永久的なハンドルのように、ハンドルから分離することができる場合には、カミソリヘッドはプラスティック製ハウジングエレメントと、それに接続されたカミソリ刃組立体との両方を有する。この種の湿式カミソリは、日常的なひげそり、美容用のシェービングまたは医療分野で使用される大量生産品である。
公知のカミソリヘッドは、シートとキャップとを有し、その間に同一方向を向いている刃縁を備えた一枚または複数のカミソリ刃を有するプラスティック製ハウジングを有する。カミソリ刃の刃縁には、間隔を置いたワイヤが巻回される。シェービングをする身体の形状は不規則であるから、皮膚に対する刃の案内を柔軟にするようにすでに多数の方法が提案された。ハンドル領域に配置された旋回ジョイント、刃縁平面で可動なようにカミソリ刃組立体に挿入されたカミソリ刃、及び可撓性刃はこの業界で知られている。提案された方法は、刃の刃縁をシェービングする表面にできるだけ近づけることができるという事実によってシェービングの結果を改良しようとするものであった。公知のカミソリは、シェービングする皮膚に対してカミソリ刃を相対的に移動させるが、シェービングする皮膚にカミソリ刃が実際に追随し、刃幅を最大限に利用し、可能な限り最適な切断角度を保持することは保証されない。
シェービングの目的で複数方向に案内することができるこの種のカミソリヘッドはこの技術分野では公知ではない。特に、例えば、ひじやひざの屈曲部のように接近することが困難な身体の場所をシェービングする化粧用及び医療分野で使用する公知のカミソリヘッドは、不十分なシェービングの結果を招き、好ましくないシェービングの感じを与え、特に、シェービングする表面に刃縁を十分に接近させることができない。この理由によって、このような場所は繰り返しシェービングしなければならない。さらに、従来のカミソリヘッドは、ハウジング及び刃ユニットのエレメントの相対的な位置関係から刃の自由な案内が妨げられる。
発明の概要
本発明の目的は、大量生産及び低い製造コストに適した簡単な構造及び容易な取付けが可能な一方で、シェービングの結果を改良し、美容及び医療の目的で、アクセスすることが困難な身体の場所で正逆双方向に使用することができる、ハンドルの前端に取り付けることができるカミソリヘッドを提供することである。
本発明において、カミソリハンドルに取り付けられる両刃型のカミソリヘッドであって、互いに所定の角度に配置されていると共に互いに離れる方向を向いた平行な複数の刃縁を備えた少なくとも２つのカミソリ刃が挿入されるハウジングを有し、前記複数の刃縁が、隣接するハウジング部分と共に各カミソリ刃を最適な切断角度に配置する１つの接触平面を画定する両刃カミソリヘッドが提供される。
低コスト及び容易な取付けが可能な最小限の部品からなる本発明によるカミソリヘッドの構成は、両刃の刃縁を直接皮膚に当てることができる正逆二方向のシェービングが可能である。有利には、刃縁が自立するように刃をハウジングに挿入する。さらに有利には、カミソリ刃の互いの間の角度を１８０°未満とすることが提案されている。
本発明によれば、最も簡単にハウジングに挿入されたカミソリ刃の両刃縁は、毛をそる皮膚の場所に本発明によるカミソリヘッドを適用する接触平面を画成する。適当なシェービングの動きによって、互いに離れる方向に指向する刃縁は、前進する方向に依存して皮膚の上を案内され、有効なシェービングが切断角度に関するカミソリ刃の最適な構成によって実施される。さらに本発明によれば、ユーザの手によって切断角度を正確に調整しなければならないカミソリヘッドの傾斜に依存することなく、シェンービングが正逆双方向に実施されるように前進運動を反転することができる。
有利には、それぞれ互いから離れる方向に指向される刃縁を両側に備えた両刃カミソリ刃の２枚刃が、ハウジングに挿入される。この方法によれば、シェンービングの結果は、さらに著しく改良される。好ましい実施例において、ガードバーがカミソリの外側の刃縁の前方領域に配置される。例えば、ゴム、プラスティック等で形成されたこの種のガードバーは、カミソリ刃の刃縁がその上を通過する前に皮膚を締め付けることを保証する。一方で、このようなガードバーは、皮膚上を通過する刃による切断の感じを紛らせ、他方、全体としてシェンービングの感じを改良することができる。他の実施例において、ガードバーの代わりに、摩擦減少補助剤をシェンービングする皮膚に与えることができるローラを設けることができる。
特に、多数の間隔を置いたワイヤを刃縁を横断するように配置することが提案されている。従って、刃縁は、ワイヤによってカバーされており、シェービング中に皮膚を切ることが防止される。ハンドルに配置され本発明によって構成されたカミソリヘッドによれば、シェービングすべき皮膚の場所に容易に直接に刃縁を到達させることができ、皮膚を切る可能性は、刃縁を横断するワイヤによって減少される。さらに、正逆双方向のシェービングが可能である。カミソリヘッドは、接近するのに困難な場所を容易にシェービングすることができ、シェービングの結果を著しく改良することができる。
有利には、ワイヤは、ハウジングに配置されたカミソリ刃の刃縁全体を横断するように配置されている。この方法によれば、本発明によるカミソリヘッドの製造は、刃全体をワイヤで巻くことか、メッシュで刃全体を覆うか、個々のワイヤ部分を刃全体に配置することができると言う事実によって著しく簡単になる。さらに、刃の上に溶着または接着された微小粒の列を密着させるように巻くことも可能である。
好ましい実施例において、カミソリ刃組立体は支持エレメント、カミソリ刃及びワイヤから形成される。カミソリヘッドの製造は、カミソリ刃組立体を分離した取付けユニットとして製造し、別に製造されたハウジングに挿入することができるから、この方法によってさらに簡単になる。有利には、カミソリ刃を支持する支持エレメントの表面は、後にワイヤでカバーされる刃縁が最適なシェービング角度で突出するような角度ですでに傾斜している。
２枚刃のカミソリ刃が使用される好ましい実施例においては、断面が互いに同じ角度で配置された２つのアームを有するスペーサが２枚のカミソリ刃の間に挿入される。有利には、カミソリ刃組立体は、上側のカミソリ刃に取り付けられている中央支持体を有する。
好ましい実施例において、カミソリ刃はカミソリ刃組立体に対して可動である。この場合、カミソリ刃は狭い範囲内で傾斜し得るように刃の平面が旋回可能である。さらに、カミソリ刃組立体をハウジング内に可動に挿入することができることが有利である。この方法によれば、皮膚の輪郭に追随するカミソリヘッドの能力は、著しく増大する。この構成による実施例において、いわゆる振動システムを形成するようにハウジング内で振動可能なようにカミソリ刃を配置することが可能である。振動の量と方向が固定される場合には、乾式、すなわち、水やシェービングクリームなしでも、本発明によるカミソリヘッドを使用することを選択することができる。カミソリ刃組立体がハウジング内にばね偏倚されて可動に配置されるいわゆるばね付装置が特に有利である。例えば、これは、刃縁平面において、カミソリ刃を弾性的に配置する可能性を提供し、すなわち、カミソリ刃は、平行に摺動可能、又は垂直軸線の周りで回転可能である。
さらに、特別な利点において、カミソリ刃をハンドル上に可動に配置することが提案されている。もしカミソリヘッドが、カミソリ刃の刃縁に平行にかつ、カミソリ刃の間の中心平面に配置される旋回軸線の周りにハンドルに対して旋回することができるように取付けられるならば、シェービングの結果は著しく改良される。このような構成によれば、シェービングする面に密接する刃の案内と皮膚輪郭への最適な追随が保証される。ハウジング内でカミソリ刃組立体が可動な構成と同じ可能性及び利点が生じる。
さらに好ましい実施例において、カミソリヘッドに開口部を形成し、ひげそり中にカミソリ刃の領域にたまった泡や毛の残留物をカミソリヘッドから洗い流す洗い出し流路を形成することが提案される。
さらに有利には、カミソリヘッドが少なくとも１つのシェービング補助剤を有することが提案される。このようなシェービング補助剤は、例えば、ガードバーに形成された開口部を通じて刃縁の領域に通過することができる。また、シェービング補助剤、例えばポリオックスのコーティングを中央の支持体に形成することができる。また、中央の支持体及び／またはガードバーをシェービング補助剤で形成することができる。
本発明のカミソリヘッドは、廉価で製造が容易であり、身体の接近することが困難な場所でも非常に良好なシェービング結果が得られる。さらに、正逆二方向のシェービングに使用することができる。
さらに本発明の利点及び特徴は、図面を参照する以下の説明から明らかである。
【図面の簡単な説明】
第１図は、本発明によるカミソリヘッドの一実施例の斜視図である。
第２図は、第１図によるカミソリヘッドの断面図である。
第３図は、本発明の他の実施例によるカミソリヘッドの断面図である。
第４図は、本発明の更に他の実施例によるカミソリヘッドの断面図である。
第５図は、ワイヤの巻きパターンの概略図である。
発明の詳細な説明
第１図及び第２図に示す実施例において、カミソリヘッド１は、ハンドル２の上端に配置されている。カミソリヘッド１は、図示実施例では、雨どい形のハウジング３を有し、その側縁の各々の領域に上方キャップ４を支持している。支持体６を有するカミソリ刃組立体５がハウジング３に挿入されている。カミソリ刃組立体の上面は、カミソリ刃の支持平面７を有する。支持平面７の傾斜は、その上に配置されたカミソリ刃が、ハンドルにカミソリヘッドが取りつけられたとき最適なシェービングが可能なように、ハウジングの皮膚に対する接触平面に対して最適な切断角度を有するようになされている。カミソリ刃と皮膚接触平面との最適な角度は１８０°未満が好ましい。カミソリ刃８及び１０は、それらの刃縁が互いに離れるような方向を向くように支持体７の支持平面に配置されている。これらの２つのカミソリ刃８及び１０の上にはスペーサ１２が配置されており、このスペーサ１２は、中央部分と、この中央部分の上に配置された２つのアームとを有する。これら２つのアームは、支持平面７と同じ角度で互いに傾斜している。スペーサの２つのアームの上には、カミソリ刃９及び１１が配置されており、これらのカミソリ刃９及び１１は、各カミソリ刃８または１０に平行に配置されており、刃縁は互いに離れるように指向されている。それらの上には中央支持体１３が配置されている。図示したエレメントは、固定されるか及び／または接着されるか、または他の方法で結合される。よって、カミソリ刃は、例えば接着剤によってスペーサに取り付けられ、スペーサは、中央支持体１３と共に支持体６に固定されるか、接着される。また各部品は、カミソリ刃が少なくとも一部が可動であるように結合することができる。２つのカミソリ刃８及び１０の各々に隣接してガードバー１４，１５が配置され、このガードバー１４，１５は、シェービング中にそられる皮膚を延ばして締め付ける。最適な切断角度に配置されたカミソリ刃８，９，１０及び１１の自立する（即ち、露出された）刃縁は、シェービングする皮膚に非常によく密接することができ、優れたシェービングの結果を得ることができる。
第１図及び第２図に示す実施例において、突出部１６が支持体６の下側に配置され、ワイヤ１７を一方の側から他方の側にカミソリ刃組立体５全体に突出部１６の周りに巻き、突出部に取り付けることができる。この目的のために、図示した実施例において、ワイヤを通す溝１８がガードバー１４，１５に形成されている。同様にワイヤは、中央支持体１３の溝を通過することができる。最後に中央支持体１３の上にはカバー１９が配置され、カバー１９はシェービング補助剤からなるまたはシェービング補助剤を含むことができる。ワイヤは、約０．０５ｍｍ乃至約５．０ｍｍの範囲で好ましくは、約２．０ｍｍ乃至約３．０ｍｍの範囲で互いに所定距離を置いて配置されている。ワイヤは約０．０５ｍｍ乃至約１．０ｍｍの範囲、好ましくは約０．１５ｍｍの対応する太さを有する。
製造時、カミソリ刃組立体５は、雨どい形のハウジング３に挿入され、所望の用途の分野によって固定又は可動な挿入が可能である。最後にキャップ４が、ハウジング３に接続され、カミソリヘッド１が完成する。ガードバー、中央支持体等のような追加のエレメントは、オプションであり、必須の重要なことは、互いに離れる方向を向き、ワイヤによってカバーされた自立する刃縁を有するカミソリ刃がハウジングに挿入され、刃縁をシェービングする皮膚に異なる方向でできるだけ接近することができることである。
第３図及び第４図は、本発明の他の実施例を示す。第３図はガードバーを省いた実施例を示し、自立する刃縁が皮膚に対する接触平面を画成し、毛をそる皮膚に直接案内される。第４図は、ガードバーの代わりに、毛をそる皮膚上を転動して前進し、例えば、シェービング補助剤を適用するように作用するローラ２０，２１が設けられる実施例を示す。
第５図において、ワイヤがカミソリ刃の刃縁の上側と下側で、それぞれ互いに平行に配置される例が示されている。図示したワイヤの巻き方法は、ワイヤを連続して巻き付けるときにカミソリ刃を回転するだけでよいので組み立てが容易であるという利点を有する。
【図１】
0003787156.tif 000002
【図２】
0003787156.tif 000003
【図３】
0003787156.tif 000004
【図４】
0003787156.tif 000005
【図５】
0003787156.tif 000006